(57)【要約】【課題】韓国式サウナの特性を備えながら耐震性を高めることができるサウナ用石積み建築物およびその施工方法を提供する。【解決手段】ブロック状の石２１を上方が窄まるように所定の高さまで積み重ねて結合し内壁構造２０を形成する。内壁構造２０の外側にコンクリート流し込み用の型枠を設け、その内部にコンクリートを流し込み、内壁構造２０を覆うようにコンクリート壁構造３０を設ける。以上の工程を天井を塞ぐまで繰り返す。ブロック状の石２１による内壁構造２０とコンクリート壁構造３０とができあがったならば、型枠を取り除く。化粧材４１をコンクリート壁構造３０の外側に結合してコンクリート壁構造３０を覆うように設け、外壁構造４０を形成する。【選択図】図１
2004041601.tif 000002
【特許請求の範囲】
【請求項１】
ブロック状の石を上方が窄まるように積み重ねて結合して成る内壁構造と、
前記内壁構造の外側に結合して前記内壁構造を覆うように設けられたコンクリート壁構造とを、
有することを特徴とするサウナ用石積み建築物。
【請求項２】
化粧材を前記コンクリート壁構造の外側に結合して前記コンクリート壁構造を覆うように設けて成る外壁構造を有することを、特徴とする請求項１記載のサウナ用石積み建築物。
【請求項３】
前記内壁構造の内側にサウナ室と蒸気発生室とを有し、前記サウナ室と前記蒸気発生室とは連通しており、前記蒸気発生室の内部に貯水容器と前記貯水容器をガス燃料で加熱する加熱装置とを有することを、特徴とする請求項２記載のサウナ用石積み建築物。
【請求項４】
ブロック状の石を上方が窄まるように所定の高さまで積み重ねて結合し内壁を形成する内壁施工工程と、
前記内壁施工工程で形成した内壁の外側にコンクリート流し込み用の型枠を設ける枠施工工程と、
前記枠施工工程で設けた型枠の内部にコンクリートを流し込み、前記内壁の外側に結合して前記内壁を覆うようにコンクリート壁を設けるコンクリート壁施工工程と、
前記内壁施工工程と前記枠施工工程と前記コンクリート壁施工工程とを天井を塞ぐまで繰り返す繰り返し工程と、
前記枠施工工程で設けた前記型枠を取り除いた後、化粧材を前記コンクリート壁の外側に結合して前記コンクリート壁を覆うように設けて外壁を形成する外壁施工工程とを、
有することを特徴とするサウナ用石積み建築物の施工方法。
【発明の詳細な説明】
【０００１】
【発明の属する技術分野】
本発明は、サウナ用石積み建築物およびその施工方法に関する。
【０００２】
【従来の技術】
韓国では、上方がドーム状に丸く窄まるようにブロック状の石を積み重ねて成る韓国式サウナ建築物が一般に知られている。このような韓国式サウナ建築物による本格的な韓国式サウナは、日本では普及しておらず、日本にも導入したいという要望がある。
【０００３】
【発明が解決しようとする課題】
しかしながら、韓国式サウナ建築物は、ブロック状の石を積み重ねて成る構造のため、耐震性が低いという課題がある。このため、韓国式サウナ建築物をそのまま日本で同じ構造により建築した場合、日本は地震が多いことから、大きな地震が発生したとき倒壊するおそれがある。倒壊のおそれをなくすため、ブロック状の石を用いずに鉄筋コンクリートにより韓国式サウナ建築物と同様の形状の建築物を建築し、壁面に平板状石を貼り付けることは可能である。しかしながら、平板状石を貼り付けた構造では、ブロック状の石を用いた場合に比べて遠赤外線照射による韓国式サウナの効果を発揮できないおそれがある。
【０００４】
本発明は、このような従来の課題に着目してなされたもので、韓国式サウナの特性を備えながら耐震性を高めることができるサウナ用石積み建築物およびその施工方法を提供することを目的としている。
【０００５】
【課題を解決するための手段】
上記目的を達成するために、本発明に係るサウナ用石積み建築物は、ブロック状の石を上方が窄まるように積み重ねて結合して成る内壁構造と、前記内壁構造の外側に結合して前記内壁構造を覆うように設けられたコンクリート壁構造とを、有することを特徴とする。
【０００６】
本発明に係るサウナ用石積み建築物は、ブロック状の石を積み重ねて成る内壁構造をコンクリート壁構造が覆ってその外側に結合しているので、内壁構造が外側から強化され、耐震性が高められている。また、内壁構造が従来の韓国式サウナ建築物と同様にブロック状の石から成るため、ブロック状の石に韓国式サウナ建築物で用いられる石を用いることにより、韓国式サウナが持つ遠赤外線照射の特性を備えることができる。ブロック状の石は、花崗岩から成ることが好ましいが、他の石から成ってもよく、人造石から成ってもよい。
【０００７】
本発明に係るサウナ用石積み建築物では、化粧材を前記コンクリート壁構造の外側に結合して前記コンクリート壁構造を覆うように設けて成る外壁構造を有することが好ましい。
【０００８】
この場合、外壁の化粧材がコンクリート壁を覆い隠すため、見栄えを良くするとともに、コンクリート壁構造を保護して耐久性を高めることができる。化粧材として従来の韓国式サウナ建築物で用いられるブロック状の石と同一の素材を用いることにより、従来の韓国式サウナ建築物と同様の外観とすることができる。
【０００９】
本発明に係るサウナ用石積み建築物では、前記内壁構造の内側にサウナ室と蒸気発生室とを有し、前記サウナ室と前記蒸気発生室とは連通しており、前記蒸気発生室の内部に貯水容器と前記貯水容器をガス燃料で加熱する加熱装置とを有することが好ましい。
【００１０】
この場合、蒸気発生室の内部で貯水容器に水を入れ、その貯水容器をガス燃料で加熱することにより、蒸気を発生させる。この蒸気発生室で発生した蒸気は、同じ内壁構造内のサウナ室に流れ込み、サウナ室内に満たされる。このように、蒸気を発生させる燃料としてガスを用いることにより、木炭などを燃料とする場合に比べてダイオキシンなどの有害物質の発生を抑制することができる。また、サウナ室と蒸気発生室とに分かれているため、サウナ室に安全に蒸気を満たすことができる。
【００１１】
本発明に係るサウナ用石積み建築物の施工方法によれば、前述の本発明に係るサウナ用石積み建築物を容易に施工することができる。
【００１２】
【発明の実施の形態】
以下、図面に基づき、本発明の実施の形態について説明する。
図１乃至図３は、本発明の実施の形態を示している。
図１および図２に示すように、サウナ用石積み建築物１０は、内壁構造（内壁）２０と、コンクリート壁構造（コンクリート壁）３０と、外壁構造（外壁）４０とを有している。
【００１３】
内壁構造２０は、ブロック状の石２１を上方が窄まるように積み重ねて結合して成っている。ブロック状の石２１は、ブロック状、角塊状に切断した花崗岩から成る。内壁構造２０の内側には、サウナ室２２と蒸気発生室２３とを有する。サウナ室２２と蒸気発生室２３とは、蒸気発生室２３の下部および上部の開口２３ａを介して連通している。蒸気発生室２３は、内部に貯水容器と貯水容器をガス燃料で加熱する加熱装置（図示せず）とを有している。サウナ室２２の内壁は水平断面が円形で、上方に向かってその半径が小さくなっていく形状をしている。サウナ室２２の内壁に使用するブロック状の石２１は、平面形状が長方形に近い等脚台形をなしており、その台形の上底側の端面がサウナ室２２の室内側になるように配置される。ブロック状の石２１の大きさの一例を挙げれば、平面形状の台形の上底が３４５ｍｍ、下底が３９２ｍｍ、高さが３００から６１３ｍｍで、厚さが１５０ｍｍである。
【００１４】
図１および図２に示すように、蒸気発生室２３は、サウナ室２２に隣接し、横断面が円形のサウナ室２２から外側に突出するように設けられている。蒸気発生室２３の水平断面はほぼ長方形で、その一つの長辺の一辺がサウナ室２２と連通している。蒸気発生室２３は、作業員が立った状態で入ることができる床面からの高さを有している。サウナ室２２の蒸気発生室２３と１８０度反対側の位置には、利用者がサウナ室２２に出入りするための入口２４が設けられている。入口２４は、扉が設けられており、人が通行できる程度の幅と高さを持ち、サウナ室２２の円周形状から外側に突き出た形状をしている。なお、内壁構造２０の形状は、水平断面が長方形で鉛直方向断面が半円状のかまぼこ形であってもよい。
【００１５】
図１および図２に示すように、コンクリート壁構造３０は、内壁構造２０の外側に結合して内壁構造２０を覆うように設けられている。コンクリート壁構造３０は内部に鉄筋を配した鉄筋コンクリート構造となっている。鉄筋にはアンカーボルト３１を用い、一方の端を内壁のブロック状の石２１に上側から打ち込み、他方の端をコンクリート壁構造３０の内部に配している。これにより、鉄筋がコンクリート壁構造３０と内壁構造２０とを結合し、サウナ用石積み建築物１０の耐震性が高められている。
【００１６】
外壁構造４０は、平板状の化粧材４１をコンクリート壁構造３０の外側に結合してコンクリート壁構造３０を覆うように設けて成っている。化粧材４１は、内壁構造２０で用いられるブロック状の石２１と同一の素材のものを使用し、サウナの利用者から見える範囲に設けている。
【００１７】
図３に示すように、サウナ用石積み建築物１０は、男性用と女性用とを別棟として２棟並べて設置している。２棟の蒸気発生室２３が隣接することにより、ガス燃料の燃焼場所５０を兼用することができる。サウナ用石積み建築物１０は温泉施設の建物６０の内部に設置されており、利用者は浴室内から出入りすることができる。
【００１８】
サウナを使用するときは、蒸気発生室２３の内部で貯水容器に水を入れ、その貯水容器をガス燃料で加熱することにより、蒸気を発生させる。この蒸気発生室２３で発生した蒸気は、同じ内壁構造２０内のサウナ室２２に流れ込み、サウナ室２２内に満たされる。このように、蒸気を発生させる燃料としてガスを用いることにより、木炭などを燃料とする場合に比べてダイオキシンなどの有害物質の発生を抑制することができる。また、サウナ室２２と蒸気発生室２３とに分かれているため、サウナ室２２に安全に蒸気を満たすことができる。
【００１９】
サウナ用石積み建築物１０は、以下のようにして施工される。
まず、ブロック状の石２１を床面から１段以上積み重ね、ブロック状の石２１同士を結合する。次に、各ブロック状の石２１にアンカーボルト３１を打ち込む。積み重ねたブロック状の石２１の外側を覆うようにコンクリート流し込み用の型枠を設け、その型枠の内部にコンクリートを流し込む。このブロック状の石２１の積み重ねからコンクリート流し込みまでの工程を、ブロック状の石２１を上方が窄まるように所定の高さまで積み重ねつつ、天井を塞ぐまで繰り返す。ブロック状の石２１による内壁構造２０とコンクリート壁構造３０とができあがったならば、型枠を取り除く。化粧材４１をモルタルなどの結合剤でコンクリート壁構造３０の外側に結合していき、コンクリート壁構造３０を覆うよう外壁構造４０を形成する。この施工方法により、サウナ用石積み建築物１０を容易に施工することができる。
【００２０】
次に、作用について説明する。
図１および図２に示すように、サウナ用石積み建築物１０は、ブロック状の石２１を積み重ねて成る内壁構造２０をコンクリート壁構造３０が覆ってその外側に結合しているので、内壁構造２０が外側から強化され、耐震性が高められている。また、内壁構造２０が従来の韓国式サウナ建築物と同様にブロック状の石２１から成るため、ブロック状の石２１に韓国式サウナ建築物で用いられる石を用いることにより、韓国式サウナが持つ遠赤外線照射の特性を備えることができる。
【００２１】
また、外壁構造４０の化粧材４１がコンクリート壁構造３０を覆い隠すため、見栄えを良くするとともに、コンクリート壁構造３０を保護して耐久性を高めることができる。化粧材４１として従来の韓国式サウナ建築物で用いられるブロック状の石と同一の素材を用いることにより、従来の韓国式サウナ建築物と同様の外観とすることができる。
【００２２】
【発明の効果】
本発明によれば、韓国式サウナの特性を備えながら耐震性を高めることができるサウナ用石積み建築物およびその施工方法を提供することができる。
【図面の簡単な説明】
【図１】本発明の実施の形態のサウナ用石積み建築物を示す縦断面図である。
【図２】図１に示すサウナ用石積み建築物の横断面図である。
【図３】図１に示すサウナ用石積み建築物を含む建造物の平面図である。
【符号の説明】
１０　サウナ用石積み建築物
２０　内壁構造
２１　ブロック状の石
２２　サウナ室
２３　蒸気発生室
２４　入口
３０　コンクリート壁構造
３１　アンカーボルト
４０　外壁構造
４１　化粧材
【図１】
2004041601.tif 000003
【図２】
2004041601.tif 000004
【図３】
2004041601.tif 000005